(57)【要約】【課題】  新たな設備を用いたり装置規模を大きくしたりすることなく、複数の張出し無線装置から無線区間へ下りデータを同じタイミングで送信する。【解決手段】  拡散処理された下りデータに８Ｂ１０Ｂエンコーダ２０４にて同期信号が挿入され、８Ｂ１０Ｂデコーダ２１２にて下りデータから同期信号が抽出され、同期信号が抽出された抽出タイミングに基づいた挿入タイミングで、８Ｂ１０Ｂエンコーダ２１４にて同期信号が上りデータに挿入され、挿入された同期信号が８Ｂ１０Ｂデコーダ２０８にて上りデータから抽出され、下りデータに同期信号が挿入された挿入タイミングから、上りデータからの同期信号が抽出された抽出タイミングまでの時間が遅延時間計測カウンタ２０９にて計測され、計測された時間に基づいて下りデータの拡散処理の開始タイミングが制御される。【選択図】図２
2006245800.tif 000002
【特許請求の範囲】
【請求項１】
ベースバンド処理装置と、張出し無線装置とに分離され、前記ベースバンド処理装置と複数の前記張り出し無線装置とが光ケーブルで接続されたＷ−ＣＤＭＡ基地局であって、
前記ベースバンド処理装置は、拡散処理した下りデータに同期信号を挿入し、当該下りデータを前記張出し無線装置へ送信し、前記張出し無線装置から送信されてきた上りデータから同期信号を抽出し、前記下りデータに同期信号を挿入した挿入タイミングから、前記上りデータから同期信号を抽出した抽出タイミングまでの時間に基づいて、前記下りデータの拡散処理の開始タイミングを制御し、
前記張出無線装置は、前記ベースバンド処理装置から送信されてきた前記下りデータから同期信号を抽出し、前記下りデータから同期信号を抽出した抽出タイミングに基づいた挿入タイミングで前記上りデータに同期信号を挿入するＷ−ＣＤＭＡ基地局。
【請求項２】
請求項１に記載のＷ−ＣＤＭＡ基地局において、
前記ベースバンド処理装置は、
前記下りデータに挿入される同期信号の挿入タイミングを生成するフレーム信号生成手段と、
前記フレーム信号生成手段によって生成された挿入タイミングで、前記下りデータに同期信号を挿入する第１のエンコーダと、
前記上りデータから同期信号を抽出する第１のデコーダと、
前記フレーム信号生成手段によって生成された同期信号の挿入タイミングから、前記第１のデコーダにて同期信号が抽出された抽出タイミングまでの時間を計測する遅延計測カウンタと、
前記遅延計測カウンタによって計測された時間に基づいて、前記下りデータの拡散処理の開始タイミングを制御する同期信号制御手段とを有し、
前記張出し無線装置は、
前記第１のエンコーダにて挿入された同期信号を前記下りデータから抽出する第２のデコーダと、
前記第２のデコーダにて同期信号が抽出された抽出タイミングに基づいて、前記上りデータに同期信号を挿入する挿入タイミングを出力する同期検出手段と、
前記同期検出手段によって出力された挿入タイミングで前記上りデータに同期信号を挿入する第２のエンコーダとを有することを特徴とするＷ−ＣＤＭＡ基地局。
【請求項３】
請求項２に記載のＷ−ＣＤＭＡ基地局において、
前記第１及び前記第２のエンコーダは、８Ｂ１０Ｂエンコーダであり、前記第１及び前記第２のデコーダは、８Ｂ１０Ｂデコーダであり、同期信号はカンマコードであることを特徴とするＷ−ＣＤＭＡ基地局。
【請求項４】
請求項２または請求項３に記載のＷ−ＣＤＭＡ基地局において、
前記同期信号制御手段は、前記フレーム信号生成手段によって生成された同期信号の挿入タイミングから、前記第１のデコーダにて同期信号が抽出された抽出タイミングまでの時間を往復の伝搬遅延時間とし、前記往復の伝搬遅延時間を２で割った片道の伝搬遅延時間と予め設定されている最大伝搬遅延時間との差分だけ遅らせたタイミングを前記下りデータの拡散処理の開始タイミングとすることを特徴とするＷ−ＣＤＭＡ基地局。
【請求項５】
ベースバンド処理装置と、張出し無線装置とに分離され、前記ベースバンド処理装置と複数の前記張り出し無線装置とが光ケーブルで接続されたＷ−ＣＤＭＡ基地局の制御方法であって、
前記ベースバンド処理装置から前記張出し無線装置へ送信される下りデータに挿入される同期信号の挿入タイミングを生成する処理と、
前記生成された挿入タイミングで、前記下りデータに同期信号を挿入する処理と、
前記ベースバンド処理装置から前記張出し無線装置へ前記下りデータを送信する処理と、
前記張出し無線装置にて受信された下りデータから同期信号を抽出する処理と、
同期信号が抽出された抽出タイミングに基づいて、前記張出し無線装置から前記ベースバンド処理装置へ送信される上りデータに同期信号を挿入する挿入タイミングを出力する処理と、
前記出力された挿入タイミングで、前記上りデータに同期信号を挿入する処理と、
前記張出し無線装置から前記ベースバンド処理装置へ前記上りデータを送信する処理と、
前記ベースバンド処理装置にて受信された前記上りデータから同期信号を抽出する処理と、
前記下りデータに同期信号が挿入された挿入タイミングから、前記上りデータから同期信号が抽出された抽出タイミングまでの時間を計測する処理と、
前記計測された時間に基づいて、前記下りデータの拡散処理の開始タイミングを制御する処理とを有するＷ−ＣＤＭＡ基地局の制御方法。
【請求項６】
請求項５に記載のＷ−ＣＤＭＡ基地局の制御方法において、
同期信号を挿入する処理は、８Ｂ１０Ｂエンコード処理であり、同期信号を抽出する処理は、８Ｂ１０Ｂデコード処理であり、同期信号はカンマコードであることを特徴とするＷ−ＣＤＭＡ基地局の制御方法。
【請求項７】
請求項５または請求項６に記載のＷ−ＣＤＭＡ基地局の制御方法において、
前記下りデータに同期信号が挿入された挿入タイミングから、前記上りデータから同期信号が抽出された抽出タイミングまでの時間を往復の伝搬遅延時間とし、前記往復の伝搬遅延時間を２で割った片道の伝搬遅延時間と予め設定されている最大伝搬遅延時間との差分だけ遅らせたタイミングを前記下りデータの拡散処理の開始タイミングとすることを特徴とするＷ−ＣＤＭＡ基地局の制御方法。
【発明の詳細な説明】
【技術分野】
【０００１】
本発明は、通信方式としてＷ−ＣＤＭＡ（Wideband-Code Division Multiple Access）方式を用いたＷ−ＣＤＭＡ基地局に関し、特に、基地局の装置構成が、ベースバンド処理装置と、ベースバンド処理装置から離れた場所に設置される張出し無線装置とに分離されており、ベースバンド処理装置と張出し無線装置との間が光ケーブルにより接続されたＷ−ＣＤＭＡ基地局に関する。
【背景技術】
【０００２】
近年、次世代の移動通信システムとして、通信方式としてＷ−ＣＤＭＡ方式を用いた移動通信システムが広く普及してきている。このようなＷ−ＣＤＭＡ通信システムでは、基地局からの電波が届く範囲がサービスエリアとなるため、基地局から離れているために電波の届きにくい場所については、サービスエリアから外れてしまう可能性がある。そのため、基地局の装置構成をベースバンド処理装置と張出し無線装置とに分離し、ベースバンド処理装置から離れた場所に張出し無線装置を設置し、これらベースバンド処理装置と張出し無線装置とを光ケーブルにより接続することにより、基地局から離れた場所についてもサービスエリアの範囲内とする装置構成が考えられている。
【０００３】
また、１つのベースバンド処理装置に対して、ベースバンド処理装置から離れた場所に複数の張出し無線装置を設置することにより、収容セル数の増加が容易に行われ、さらに、張出し無線装置の置き換えだけで、収容セルの構成を容易に変更することができる。
【０００４】
しかし、このような光ケーブルによって接続されたベースバンド処理装置と張出し無線装置との間における通信においては、各張出し無線装置が設置される場所によって、ベースバンド処理装置からの距離の違いから、光ケーブルの信号伝搬遅延時間の差分が生じてしまう。ベースバンド処理装置と各張出し無線装置との間に接続された光ケーブルの長さが等しい場合は問題は発生しないが、光ケーブルの長さが異なる場合は、ベースバンド処理装置から複数の張出し無線装置に対して同じタイミングで下りデータが送信されても、複数の張出し無線装置においては下りデータが時間的なばらつきを保持したまま無線区間へ送信されてしまう。例えば、ダイバーシティ送信や、ＩＰＤＬ（Idle Periods create in the Down Link）サービス等については、そのばらつきを補正する処理が必要となる。
【０００５】
そこで、複数の張出し無線装置間において、基準タイミングとなる信号の受け渡しを行い、基準タイミング信号と、ベースバンド処理装置から受信した下りデータの受信タイミングとから算出した時間をベースバンド処理装置へ送信し、ベースバンド処理装置において遅延時間を算出し、ばらつきを補正する方法が考えられている（例えば、特許文献１参照。）。
【０００６】
また、ベースバンド処理装置から張出し無線装置へ下りデータを送信する際に、特別な同期信号を下りデータの中に挿入し、張出し無線装置において受信した下りデータから同期信号を検出し、検出した同期信号と下りデータが一時的に格納されるバッファとを用いて遅延時間の補正を行う方法も考えられている。
【特許文献１】特開２００４−２２２０８８号公報
【発明の開示】
【発明が解決しようとする課題】
【０００７】
しかしながら、上述した特許文献１に記載された方法では、張出し無線装置間において基準タイミング信号を送受信するためのケーブルを別途準備しなければならないという問題点がある。
【０００８】
また、上述したように、ベースバンド処理装置から張出し無線装置へ下りデータを送信する際に、特別な同期信号を下りデータの中に挿入するものでは、ベースバンド処理装置から張出し無線装置へ下りデータを送信する際に、下りデータの中に挿入する一定の周期を有するフレームパルス等の特別な同期信号が必要であり、さらに、張出し無線装置間において遅延時間差がゼロになるように無線区間へ下りデータを送信するタイミングを吸収するためのバッファを設ける必要があり、そのため、装置規模が大きくなってしまうという問題点がある。
【０００９】
本発明は、上述したような従来の技術が有する問題点を鑑みてなされたものであって、新たな設備を用いたり装置規模を大きくしたりすることなく、複数の張出し無線装置から無線区間へ下りデータを同じタイミングで送信することができるＷ−ＣＤＭＡ基地局を提供することを目的とする。
【課題を解決するための手段】
【００１０】
上記目的を達成するための本発明は、
ベースバンド処理装置と、張出し無線装置とに分離され、前記ベースバンド処理装置と複数の前記張り出し無線装置とが光ケーブルで接続されたＷ−ＣＤＭＡ基地局であって、
前記ベースバンド処理装置は、拡散処理した下りデータに同期信号を挿入し、当該下りデータを前記張出し無線装置へ送信し、前記張出し無線装置から送信されてきた上りデータから同期信号を抽出し、前記下りデータに同期信号を挿入した挿入タイミングから、前記上りデータから同期信号を抽出した抽出タイミングまでの時間に基づいて、前記下りデータの拡散処理の開始タイミングを制御し、
前記張出無線装置は、前記ベースバンド処理装置から送信されてきた前記下りデータから同期信号を抽出し、前記下りデータから同期信号を抽出した抽出タイミングに基づいた挿入タイミングで前記上りデータに同期信号を挿入する。
【００１１】
また、前記ベースバンド処理装置は、
前記下りデータに挿入される同期信号の挿入タイミングを生成するフレーム信号生成手段と、
前記フレーム信号生成手段によって生成された挿入タイミングで、前記下りデータに同期信号を挿入する第１のエンコーダと、
前記上りデータから同期信号を抽出する第１のデコーダと、
前記フレーム信号生成手段によって生成された同期信号の挿入タイミングから、前記第１のデコーダにて同期信号が抽出された抽出タイミングまでの時間を計測する遅延計測カウンタと、
前記遅延計測カウンタによって計測された時間に基づいて、前記下りデータの拡散処理の開始タイミングを制御する同期信号制御手段とを有し、
前記張出し無線装置は、
前記第１のエンコーダにて挿入された同期信号を前記下りデータから抽出する第２のデコーダと、
前記第２のデコーダにて同期信号が抽出された抽出タイミングに基づいて、前記上りデータに同期信号を挿入する挿入タイミングを出力する同期検出手段と、
前記同期検出手段によって出力された挿入タイミングで前記上りデータに同期信号を挿入する第２のエンコーダとを有することを特徴とする。
【００１２】
また、前記第１及び前記第２のエンコーダは、８Ｂ１０Ｂエンコーダであり、前記第１及び前記第２のデコーダは、８Ｂ１０Ｂデコーダであり、同期信号はカンマコードであることを特徴とする。
【００１３】
また、前記同期信号制御手段は、前記フレーム信号生成手段によって生成された同期信号の挿入タイミングから、前記第１のデコーダにて同期信号が抽出された抽出タイミングまでの時間を往復の伝搬遅延時間とし、前記往復の伝搬遅延時間を２で割った片道の伝搬遅延時間と予め設定されている最大伝搬遅延時間との差分だけ遅らせたタイミングを前記下りデータの拡散処理の開始タイミングとすることを特徴とする。
【００１４】
また、ベースバンド処理装置と、張出し無線装置とに分離され、前記ベースバンド処理装置と複数の前記張り出し無線装置とが光ケーブルで接続されたＷ−ＣＤＭＡ基地局の制御方法であって、
前記ベースバンド処理装置から前記張出し無線装置へ送信される下りデータに挿入される同期信号の挿入タイミングを生成する処理と、
前記生成された挿入タイミングで、前記下りデータに同期信号を挿入する処理と、
前記ベースバンド処理装置から前記張出し無線装置へ前記下りデータを送信する処理と、
前記張出し無線装置にて受信された下りデータから同期信号を抽出する処理と、
同期信号が抽出された抽出タイミングに基づいて、前記張出し無線装置から前記ベースバンド処理装置へ送信される上りデータに同期信号を挿入する挿入タイミングを出力する処理と、
前記出力された挿入タイミングで、前記上りデータに同期信号を挿入する処理と、
前記張出し無線装置から前記ベースバンド処理装置へ前記上りデータを送信する処理と、
前記ベースバンド処理装置にて受信された前記上りデータから同期信号を抽出する処理と、
前記下りデータに同期信号が挿入された挿入タイミングから、前記上りデータから同期信号が抽出された抽出タイミングまでの時間を計測する処理と、
前記計測された時間に基づいて、前記下りデータの拡散処理の開始タイミングを制御する処理とを有する。
【００１５】
また、請求項５に記載のＷ−ＣＤＭＡ基地局の制御方法において、
同期信号を挿入する処理は、８Ｂ１０Ｂエンコード処理であり、同期信号を抽出する処理は、８Ｂ１０Ｂデコード処理であり、同期信号はカンマコードであることを特徴とする。
【００１６】
また、前記下りデータに同期信号が挿入された挿入タイミングから、前記上りデータから同期信号が抽出された抽出タイミングまでの時間を往復の伝搬遅延時間とし、前記往復の伝搬遅延時間を２で割った片道の伝搬遅延時間と予め設定されている最大伝搬遅延時間との差分だけ遅らせたタイミングを前記下りデータの拡散処理の開始タイミングとすることを特徴とする。
【００１７】
上記のように構成された本発明においては、ベースバンド処理装置において、拡散処理された下りデータに同期信号が挿入され、同期信号が挿入された下りデータが張出し無線装置へ送信され、張出し無線装置において、ベースバンド処理装置から送信されてきた下りデータから同期信号が抽出され、同期信号が抽出された抽出タイミングに基づいた挿入タイミングで、ベースバンド処理装置へ送信する上りデータに同期信号が挿入され、同期信号が挿入された上りデータがベースバンド処理装置へ送信され、ベースバンド処理装置において、張出し無線装置から送信されてきた上りデータから同期信号が抽出され、下りデータに同期信号が挿入された挿入タイミングから、上りデータから同期信号が抽出された抽出タイミングまでの時間が計測され、計測された時間に基づいて下りデータの拡散処理の開始タイミングが制御される。
【００１８】
このように、下りデータに同期信号が挿入されてから、上りデータから同期信号が抽出されるまでの時間が測定されることにより、ベースバンド処理装置と、ベースバンド装置から様々な距離に設置された張出し無線装置との間のそれぞれの伝搬遅延時間が算出され、算出されたそれぞれの遅延時間に基づいて、ベースバンド処理装置からそれぞれの張出し無線装置へ適当なタイミングで下りデータが送信されることにより、各張出し無線装置において、遅延時間が測定され、各張出し無線装置間における遅延時間差がゼロになるように無線区間へ下りデータが送信されるタイミングを吸収するためのバッファや制御回路等により装置規模が大きくなることは無く、また、各張出し無線装置間にて基準タイミング信号のやりとりをすることなく、各張出し無線装置から同じタイミングで無線区間へ下りデータが送信される。
【発明の効果】
【００１９】
以上説明したように本発明においては、拡散処理された下りデータに同期信号が挿入され、同期信号が挿入された下りデータが張出し無線装置へ送信され、張出し無線装置において、ベースバンド処理装置から送信されてきた下りデータから同期信号が抽出され、同期信号が抽出された抽出タイミングに基づいた挿入タイミングで、ベースバンド処理装置へ送信する上りデータに同期信号が挿入され、同期信号が挿入された上りデータがベースバンド処理装置へ送信され、ベースバンド処理装置において、張出し無線装置から送信されてきた上りデータから同期信号が抽出され、下りデータに同期信号が挿入された挿入タイミングから、上りデータから同期信号が抽出された抽出タイミングまでの時間が計測され、計測された時間に基づいて下りデータの拡散処理の開始タイミングが制御される構成としたため、新たな設備を用いたり装置規模を大きくしたりすることなく、複数の張出し無線装置から無線区間へ下りデータを同じタイミングで送信することができる。
【発明を実施するための最良の形態】
【００２０】
以下に、本発明の実施の形態について図面を参照して説明する。
【００２１】
図１は、本発明のＷ−ＣＤＭＡ基地局の実施の一形態を示す図である。
【００２２】
図１に示すように本形態は、ベースバンド処理装置１０１と、ベースバンド処理装置１０１から離れた場所に設置された張出し無線装置であるＡＭＰ処理装置１０２〜１０４とから構成されており、ベースバンド処理装置１０１と各ＡＭＰ処理装置１０２〜１０４とは、それぞれ光ケーブル１０５〜１０７によって接続されている。なお、ベースバンド処理装置１０１と各ＡＭＰ処理装置１０２〜１０４との間の距離は任意とし、また、ＡＭＰ処理装置１０２〜１０４の数は３つに限らない。
【００２３】
図２は、図１に示したベースバンド処理装置１０１及びＡＭＰ処理装置１０２〜１０４の構成の一例を示す図である。
【００２４】
図１に示したベースバンド処理装置１０１は図２に示すように、接続されたＡＭＰ処理装置１０２〜１０４との間にて、それぞれ、下りデータを送信し、また、上りデータを受信するデジタル信号処理部２２１〜２２３から構成されており、これらデジタル信号処理部２２１〜２２３のそれぞれは、基準タイミングをトリガにして上位装置から入力される下りデータの拡散処理を行う拡散器２０３と、同期信号であるカンマコードを下りデータに挿入する挿入タイミングを生成するフレーム信号生成部２０２と、拡散器２０３において拡散処理された下りデータにフレーム信号生成部２０２において生成された挿入タイミングでカンマコードを挿入して８Ｂ１０Ｂエンコード処理を行う第１のエンコーダである８Ｂ１０Ｂエンコーダ２０４と、８Ｂ１０Ｂエンコーダ２０４によって８Ｂ１０Ｂエンコード処理された下りデータをパラレル信号からシリアル信号へ変換するＳｅｒ部２０５と、ベースバンド処理装置１０１内部の電気信号と、ベースバンド処理装置１０１とＡＭＰ処理装置１０２との間のインタフェースである光信号との電気−光変換を行う電気−光変換部２０６と、電気−光変換部２０６にて電気信号に変換された上りデータをシリアル信号からパラレル信号へ変換するＤｅｓ部２０７と、パラレル信号に変換された上りデータについて８Ｂ１０Ｂデコード処理を行う第１のデコーダである８Ｂ１０Ｂデコーダ２０８と、８Ｂ１０Ｂデコード処理された上りデータから抽出されたカンマコードの抽出タイミングとフレーム信号生成部２０２において生成されたカンマコードの挿入タイミングとから伝搬遅延時間を計測する遅延計測カウンタ２０９と、基地局内にて拡散処理の基準タイミングとなる基地局内基準タイミングと遅延計測カウンタ２０９にて計測された伝搬遅延時間とに基づいて、拡散器２０３における拡散処理の開始タイミングを制御する同期信号制御部２０１とから構成されている。なお、デジタル信号処理部２２１〜２２３の数は３つに限らない。
【００２５】
一方、図１に示したＡＭＰ処理装置１０２〜１０４はそれぞれ図２に示すように、ＡＭＰ処理装置１０２〜１０４内部の電気信号と、ベースバンド処理装置１０１とＡＭＰ処理装置１０２〜１０４との間のインタフェースである光信号との光−電気変換を行う光−電気変換部２１０と、光−電気変換部２１０にて電気信号に変換された下りデータをシリアル信号からパラレル信号へ変換するＤｅｓ部２１１と、パラレル信号に変換された下りデータについて８Ｂ１０Ｂデコード処理を行う第２のデコーダである８Ｂ１０Ｂデコーダ２１２と、８Ｂ１０Ｂデコード処理された下りデータから抽出されたカンマコードの抽出タイミングの同期検出を行い、抽出されたカンマコードを上りデータへ挿入する挿入タイミングを出力する同期検出部２１３と、８Ｂ１０Ｂデコード処理された下りデータを無線区間に送信する処理及び無線区間から受信した上りデータの処理を行う無線部２１６と、無線区間とのデータの送受信を行うためのアンテナ２１７と、無線部２１６から出力された上りデータに同期検出部２１３から出力された挿入タイミングでカンマコードを挿入して８Ｂ１０Ｂエンコード処理を行う第２のエンコーダである８Ｂ１０Ｂエンコーダ２１４と、８Ｂ１０Ｂエンコーダ２１４によって８Ｂ１０Ｂエンコード処理された上りデータをパラレル信号からシリアル信号へ変換するＳｅｒ部２１５とから構成されている。
【００２６】
図３は、図１及び図２に示したＷ−ＣＤＭＡ基地局におけるカンマコードのタイミングを観測する観測点を示す図である。
【００２７】
図３に示すように、下りデータに関しては、カンマコードが８Ｂ１０Ｂエンコーダ２０４にて挿入されるポイントを観測点３０１、カンマコードが８Ｂ１０Ｂデコーダ２１２にて抽出されるポイントを観測点３０２とし、また、上りデータに関しては、カンマコードが８Ｂ１０Ｂエンコーダ２１４にて挿入されるポイントを観測点３０３、カンマコードが８Ｂ１０Ｂデコーダ２０８にて抽出されるポイントを観測点３０４とする。
【００２８】
以下に、上記のように構成されたＷ−ＣＤＭＡ基地局の処理について、それぞれの観測点３０１〜３０４におけるカンマコードの挿入及び抽出タイミングを含めて説明する。なお、以下の説明においては、ベースバンド処理装置１０１とＡＭＰ処理装置１０２との間にて上りデータ及び下りデータが送受信される場合を例に挙げるが、ベースバンド処理装置１０１とＡＭＰ処理装置１０３，１０４との間にて上りデータ及び下りデータが送受信される場合も同様の処理が行われる。
【００２９】
図４は、図１〜図３に示したＷ−ＣＤＭＡ基地局において観測点３０１〜３０４におけるカンマコードのタイミングを示すタイミングチャートである。
【００３０】
まず、ベースバンド処理装置１０１が起動した直後は、同期信号制御部２０１において、基地局内基準タイミングがそのまま拡散器２０３における下りデータの拡散処理の開始タイミングとして出力される。拡散処理の開始タイミングが入力された拡散器２０３において、入力された開始タイミングに基づいて下りデータが拡散処理され、拡散処理された下りデータは８Ｂ１０Ｂエンコーダ２０４へ出力される。
【００３１】
一方、フレーム信号生成部２０２において、システムとして規定されている固定周期を持ったフレーム信号がカンマコードが挿入される挿入タイミングとして８Ｂ１０Ｂエンコーダ２０４へ出力される（Ｔ１）。また、カンマコードが挿入される挿入タイミングは遅延計測カウンタ２０９へも出力される。
【００３２】
そして、８Ｂ１０Ｂエンコーダ２０４において、拡散器２０３から出力された下りデータにフレーム信号生成部２０２から出力された挿入タイミングでカンマコードが挿入され、カンマコードが挿入された下りデータの８Ｂ１０Ｂエンコード処理が行われ、８Ｂ１０Ｂエンコード処理された下りデータがＳｅｒ部２０５へ出力される。
【００３３】
Ｓｅｒ部２０５に入力された下りデータは、Ｓｅｒ部２０５においてパラレル信号からシリアル信号へ変換され、電気−光変換部２０６へ出力される。
【００３４】
次に、電気−光変換部２０６において、入力された下りデータが電気信号から光信号へ変換され、光ケーブル１０５を介してＡＭＰ処理装置１０２へ送信される。
【００３５】
ベースバンド処理装置１０１の電気−光変換部２０６から送信された下りデータが光ケーブル１０５を介してＡＭＰ処理装置１０２にて受信されると、まず、ＡＭＰ処理装置１０２の光−電気変換部２１０において、光ケーブル１０５を介して受信された下りデータが光信号から電気信号へ変換され、Ｄｅｓ部２１１へ出力される。
【００３６】
Ｄｅｓ部２１１に入力された下りデータは、Ｄｅｓ部２１１において、シリアル信号からパラレル信号へ変換され、８Ｂ１０Ｂデコーダ２１２へ出力される。
【００３７】
次に、８Ｂ１０Ｂデコーダ２１２において、入力された下りデータの８Ｂ１０Ｂデコード処理が行われ、８Ｂ１０Ｂデコード処理された下りデータが無線部２１６へ出力される。また、８Ｂ１０Ｂデコード処理と同時に、下りデータからカンマコードが抽出され、抽出されたカンマコードが同期検出部２１３へ出力される（Ｔ２）。
【００３８】
無線部２１６においては、入力された下りデータについて変調及びＤ／Ａ変換が行われ、また、システム運用に用いる高周波への周波数変換が行われ、その下りデータが増幅器を通してアンテナ２１７へ出力され、アンテナ２１７から無線区間に送信される。
【００３９】
また、同期検出部２１３において入力されたカンマコードについて、固定周期で入力されているかどうかの同期検出が行われた後、上りデータにカンマコードが挿入される挿入タイミングが８Ｂ１０Ｂエンコーダ２１４へ出力される（Ｔ３）。ここで、上りデータにカンマコードが挿入される挿入タイミングは、下りデータからカンマコードが抽出された抽出タイミングから一定の時間経過したタイミングとする。なお、一定時間とは、ＡＭＰ処理装置１０２内の他の処理時間等を考慮した任意の時間とする。
【００４０】
また、アンテナ２１７にて、上りデータが受信されると、その上りデータは、無線部２１６において変調及びＡ／Ｄ変換等が行われ、８Ｂ１０Ｂエンコーダ２１４へ出力される。
【００４１】
すると、８Ｂ１０Ｂエンコーダ２１４において、無線部２１６から出力された上りデータに同期検出部２１３から出力された挿入タイミングでカンマコードが挿入され、カンマコードが挿入された上りデータの８Ｂ１０Ｂエンコード処理が行われ、８Ｂ１０Ｂエンコード処理が行われた上りデータがＳｅｒ部２１５へ出力される。
【００４２】
Ｓｅｒ部２１５にて入力された上りデータは、Ｓｅｒ部２１５において、パラレル信号からシリアル信号へ変換され、光−電気変換部２１０へ出力される。
【００４３】
光−電気変換部２１０においては、入力された上りデータが電気信号から光信号へ変換され、光ケーブル１０５を介してベースバンド処理装置１０１へ送信される。
【００４４】
ＡＭＰ処理装置１０２の光−電気変換部２１０から送信された上りデータが光ケーブル１０５を介してベースバンド処理装置１０１にて受信されると、まず、ベースバンド処理装置１０１の電気−光変換部２０６において、光ケーブル１０５を介して受信された上りデータが光信号から電気信号へ変換され、Ｄｅｓ部２０７へ出力される。
【００４５】
Ｄｅｓ部２０７に入力された上りデータは、Ｄｅｓ部２０７において、シリアル信号からパラレル信号へ変換され、８Ｂ１０Ｂデコーダ２０８へ出力される。
【００４６】
次に、８Ｂ１０Ｂデコーダ２０８において、入力された上りデータの８Ｂ１０Ｂデコード処理が行われる。また、８Ｂ１０Ｂデコード処理と同時に、上りデータからカンマコードが抽出され、カンマコードが抽出された抽出タイミングが遅延計測カウンタ２０９へ出力される（Ｔ４）。
【００４７】
遅延計測カウンタ２０９においては、フレーム信号生成部２０２から入力された下りデータにカンマコードが挿入される挿入タイミング（Ｔ１）からカウンタが起動しており、８Ｂ１０Ｂデコーダ２０８から入力された上りデータからカンマコードが抽出された抽出タイミング（Ｔ４）までを計測することにより、フレーム信号生成部２０２から入力された下りデータにカンマコードが挿入される挿入タイミング（Ｔ１）から８Ｂ１０Ｂデコーダ２０８から入力された上りデータからカンマコードが抽出された抽出タイミング（Ｔ４）までの時間が算出され、これが往復の伝搬遅延時間とされる。
【００４８】
次に、遅延計測カウンタ２０９にて算出された往復の伝搬遅延時間が、同期信号制御部２０１へ出力され、同期信号制御部２０１において、予めシステム全体として設定されている最大伝搬遅延時間から、算出された往復の伝搬遅延時間を２で割った片道の伝搬遅延時間を差し引いた時間だけ、基地局内基準タイミングを遅らせ、そのタイミングが拡散処理の開始タイミングとして拡散器２０３へ出力される。
【００４９】
そして、拡散器２０３においては、同期信号制御部２０１から出力された開始タイミングで、下りデータの拡散処理が行われ、以下、上述した処理が繰り返し行われる。
【００５０】
以上説明したように図１に示したＷ−ＣＤＭＡ基地局は、光ケーブル１０５〜１０７のシリアルインタフェースには、ＤＣチャージの弊害を軽減し、バイト単位でデータの同期を取る８Ｂ１０Ｂ符号が用いられることにより、８Ｂ１０Ｂ符号化処理にて挿入されるカンマコードを利用して伝搬遅延時間が測定される構成としているため、伝搬遅延時間測定のための特別なフレームパルス等の同期信号が挿入される必要は無い。
【図面の簡単な説明】
【００５１】
【図１】本発明のＷ−ＣＤＭＡ基地局の実施の一形態を示す図である。
【図２】図１に示したベースバンド処理装置及びＡＭＰ処理装置の構成の一例を示す図である。
【図３】図１及び図２に示したＷ−ＣＤＭＡ基地局におけるカンマコードのタイミングを観測する観測点を示す図である。
【図４】図１〜図３に示したＷ−ＣＤＭＡ基地局において観測点３０１〜３０４におけるカンマコードのタイミングを示すタイミングチャートである。
【符号の説明】
【００５２】
１０１    ベースバンド処理装置
１０２〜１０４    ＡＭＰ処理装置
１０５〜１０７    光ケーブル
２０１    同期信号制御部
２０２    フレーム信号生成部
２０３    拡散器
２０４，２１４    ８Ｂ１０Ｂエンコーダ
２０５，２１５    Ｓｅｒ部
２０６    電気−光変換部
２０７，２１１    Ｄｅｓ部
２０８，２１２    ８Ｂ１０Ｂデコーダ
２０９    遅延計測カウンタ
２１０    光−電気変換部
２１３    同期検出部
２１６    無線部
２１７    アンテナ
２２１〜２２３    デジタル信号処理部
３０１〜３０４    観測点
【図１】
2006245800.tif 000003
【図２】
2006245800.tif 000004
【図３】
2006245800.tif 000005
【図４】
2006245800.tif 000006